(57)【要約】【課題】引出しが引き出された状態では開閉扉の閉止状態が保持される開閉扉ロック構造を提供すること。【解決手段】前方に引出し可能な引出し３の前面部に補助収納部６を形成し、下端を中心として前後に所要角度開閉しうる補助収納部６の開閉扉９を設けた開閉扉ロック構造であって、前記開閉扉９には第１係合部に相当する係合孔３５ａが、さらに前記開閉扉９を除く引出し３の一部には第２係合部に相当する係合片３２ａが設けられ、少なくとも前記引出し３が引き出された状態では、前記係合孔３５ａと前記係合片３２ａとが係合し、前記開閉扉３の閉止状態が保持される構成とする。【選択図】  図６
2004353414.tif 000002
【特許請求の範囲】
【請求項１】
前方に引出し可能な引出しの前面部に補助収納部が形成され、前記補助収納部を前方から所要角度開閉できる開閉扉のロック構造であって、前記開閉扉には第１係合部が、さらに前記開閉扉を除く引出しの一部には第２係合部が設けられ、少なくとも前記引出しが引き出された状態では、前記第２係合部と前記第１係合部とが係合し、前記開閉扉の閉止状態が保持されるようになっていることを特徴とする開閉扉ロック構造。
【請求項２】
前記引出しの収納された状態において、前記第１係合部と前記第２係合部との係合が解除されるようになっている請求項１に記載の開閉扉ロック構造。
【請求項３】
前記引出しの収納部本体側に解除機構が、前記補助収納部側に前記第２係合部が、そして前記開閉扉側に前記第１係合部が取付けられており、前記引出し収納時において、前記解除機構によって前記第１係合部と、前記第２係合部との互いの係合が解除される請求項２に記載の開閉扉ロック構造。
【請求項４】
前記第２係合部が移動可能、かつ第１係合部である係合孔に係合可能な係合片であり、この係合片には誘導片が連係されており、前記解除機構としてのガイド部材には前記誘導片を案内する傾斜面と平坦面が形成されている請求項３に記載の開閉扉ロック構造。
【請求項５】
前記開閉扉側または補助収納部側に、前記第２係合部を強制的に移動できる強制解除機構を設けた請求項１〜４のいずれかに記載の開閉扉ロック構造。
【請求項６】
引出しの前面部に設けられた補助収納部と、該補助収納部を開閉できる前記開閉扉と、に請求項１〜５のいずれかに記載の前記開閉扉ロック構造が形成されている流し台。
【発明の詳細な説明】
【０００１】
【発明の属する技術の分野】
本発明は、流し台等の引出し前部の補助収納部の開閉扉ロック構造に関する。
【０００２】
【従来の技術】
流し台の引き出しは、全体を引き出して収納した物品を引き出すようになっているのが殆どであり、使用頻度の高い物品を奥部に収納したり、他の物品と混在して収納したりすると、目的の物品を取り出すのに時間がかかる。
【０００３】
このような問題に対処するために、本願の出願人は、引出し本体の収納容積を小さくせずに、引出し本体の前面部に引出し全体を引出すことなく開閉して、裏面の収納部に収納した物品を容易に取出すことができるようにした補助収納部を有する引出しを案出し、先に特許出願している（特願２００３−６９６７７号参照）。
【０００４】
図９（ａ）に示されるように、流し台０１におけるシンク０２の下方の空間内には、引出し０３が、図示しない左右１対のガイド手段により、前方（以下、図９の左方を前として説明する）に引出し可能として収納されている。
【０００５】
引出し０３は、後部に収納箱０４を有する引出し本体０５と、その前部の補助収納部０６とからなり、それらは引出し本体０５の前端に設けた前面板０７により仕切られている。この前面板０７の上端における前向片０７ａの前端には、引出し０３の取手０８が取り付けられ、これを手前に引くことにより、引出し０３全体を前方に引出すことができる。
【０００６】
補助収納部０６の前面開口部（図示略）には、下端の枢支部（図示略）を中心として前方に所要角度開放しうる開閉扉０９が、上記前面板０７との間に所要の収納空間が形成されるようにして、左右１対の折り畳み式ステ−０１０により、開閉可能に設けられている。
【０００７】
そして開閉扉０９の上端には取手０２６が取り付けられ、これを手前に引くことにより、開閉扉０９の開閉が行えるようになっており、開閉扉０９の背面下方に取付けられた補助収納部０１８に物品を予め収納しておけば、開閉扉０９を開放するだけで取出しが容易となり、引出し０３を前方に引出して収納箱０４から所望の品を取出さなければならない手間が省けるようになっていた。
【０００８】
【発明が解決しようとする課題】
しかしながら、通常においては開閉扉０９は補助収納部０６の前面開口部に設けられたマグネット（図示略）等の慣性力により係止状態が保持されているが、図９（ｂ）に示されるように、上記先願の補助収納部構造が適用された引出し０３を手前に引出して収納箱０４に物品類を収納したり、取出したりする際に取手０８を勢いよく引出すと、その勢いによりマグネット等による慣性力での係止状態が保持できなくなり、開閉扉０９が図中の矢印に示されるように開放してしまう恐れがあり、取手０８を引出した利用者の身体にぶつかったり、補助収納箱０１８に収納された品が飛び出す不具合が生じることがあった。
【０００９】
そこで本発明は、上記課題に鑑みてなされたもので、引出しが引き出された状態では開閉扉の閉止状態が保持される開閉扉ロック構造を提供することを目的としている。
【００１０】
【課題を解決するための手段】
前記した問題を解決するために、本発明の開閉扉ロック構造は、前方に引出し可能な引出しの前面部に補助収納部が形成され、前記補助収納部を前方から所要角度開閉できる開閉扉のロック構造であって、
前記開閉扉には第１係合部が、さらに前記開閉扉を除く引出しの一部には第２係合部が設けられ、少なくとも前記引出しが引き出された状態では、前記第２係合部と前記第１係合部とが係合し、前記開閉扉の閉止状態が保持されるようになっていることを特徴とする。
この特徴によれば、前記引出しが引き出された状態では、前記第１係合部と前記第２係合部が係合され前記開閉扉の閉止状態が保持されるので、前記引出しの引き出し時に前記開閉扉がむやみに開放してしまうことがない。
【００１１】
本発明の開閉扉ロック構造は、前記引出しの収納された状態において、前記第１係合部と前記第２係合部との係合が解除されるようになっていることが好ましい。
このようにすれば、前記引出しが収納された状態で、前記第１係合部と前記第２係合部との係合が解除され、前記引出しを収納した状態で、前記開閉扉の開放と前記引出しの引き出しの選択が可能となる。
【００１２】
本発明の開閉扉ロック構造は、前記引出しの収納部本体側に解除機構が、前記補助収納部側に前記第２係合部が、そして前記開閉扉側に前記第１係合部が取付けられており、前記引出し収納時において、前記解除機構によって前記第１係合部と、前記第２係合部との互いの係合が解除されることが好ましい。
このようにすれば、前記引出し収納時において、複雑なセンサー等を用いることなく、前記解除機構により自動的に前記第１係合部と前記第２係合部の係合が解除され、前記開閉扉を解除できることになる。
【００１３】
本発明の開閉扉ロック構造は、前記第２係合部が移動可能、かつ第１係合部である係合孔に係合可能な係合片であり、この係合片には誘導片が連係されており、前記解除機構としてのガイド部材には前記誘導片を案内する傾斜面と平坦面が形成されていることが好ましい。
このようにすれば、前記引出しが収納されると、前記誘導片が前記傾斜面から前記平坦面に案内されるとともに前記係合片が連動されて、前記係合孔と前記係合片との係合が確実に解除される。また、前記引出しが引き出されると、前記誘導片が前記平坦面から前記傾斜面に案内されるとともに前記係合片が連動されて、前記係合孔と前記係合片とが確実に係合されることになる。
【００１４】
本発明の開閉扉ロック構造は、前記開閉扉側または補助収納部側に、前記第２係合部を強制的に移動できる強制解除機構を設けたことが好ましい。
このようにすれば、前記引出しが引き出された状態においても前記強制解除機構によって前記開閉扉を自由に開放できる。
【００１５】
本発明の流し台は、引出しの前面部に設けられた補助収納部と、該補助収納部を開閉できる前記開閉扉と、に請求項１〜５のいずれかに記載の前記開閉扉ロック構造が形成されていることを特徴とする。
この特徴によれば、引出しが引き出されると、開閉扉ロック構造によって前記開閉扉と前記補助収納部とが係合されることから、利用者は引出しを引き出した際に勢いで前記開閉扉が開放されてしまう事を危惧することなく、引出しを引き出すことができるようになる。
【００１６】
【発明の実施の形態】
以下、本発明の実施形態を図面に基づいて説明する。
【００１７】
図１は、本発明を適用した流し台の縦断側面図を示すもので、流し台１におけるシンク２の下方の空間である収納部本体２７内には、引出し３が左右１対のガイド手段（図示略）により、前方（以下、図１の左方を前として説明する）に引出し可能として収納されている。
【００１８】
引出し３は、後部に収納箱４を有する引出し本体５と、その前部の補助収納部６とからなり、それらは引出し本体５の前端に設けた前面板７により仕切られている。この前面板７の上端における前向片７ａの前端には、引出し３の取手８が取り付けられ、これを手前に引くことにより、引出し３全体を前方に引出すことができる。
【００１９】
補助収納部６は主に前面板７と前向片７ａと前方左右に設けられた前面板側板７ｂにより構成されており、補助収納部６の前面開口部（図示略）には、下端の枢支部（図示略）を中心として前方に所要角度開放しうる開閉扉９が、上記前面板７との間に所要の収納空間が形成されるようにして、左右１対の折り畳み式ステ−１０により、開閉可能に設けられている。
【００２０】
前面板７と開閉扉９間の収納空間における下端部には、補助収納箱１８が設けられている。この補助収納箱１８は、アルミニウム合金等により押し出し成形された、左右寸法が開閉扉９の左右寸法とほぼ等長をなす側面視上向きコ字状の収納ベース１９と、その左右両側面に接着剤等により固着される合成樹脂製の側板２０，２０とからなっており、収納ベース１９の前板１９ａがネジ（図示略）により固定され、取付けられている。
【００２１】
開閉扉９の上端には取手２６が取り付けられ、これを手前に引くことにより、開閉扉９の開閉が行えるようになっており、補助収納箱１８に物品を予め収納しておけば、開閉扉９を開放するだけで所望の品を容易に取出せることができるようになっている。
【００２２】
そして後述するが、開閉扉９の背面の左右の上部には係止部材３５、左右の前面板側板７ｂの上部には摺動部材３２が内挿された案内ハウジング３１、収納部本体２７の前方開口部（図示略）の左右上部にはガイド部材３０、がそれぞれ取付けられている（図３参照）。
【００２３】
なお、上記の係止部材３５、案内ハウジング３１、ガイド部材３０、は引出し３の左右側それぞれに取付けられる構成になっているが、これらは同構成のため以下実施例においては、引出し３の左側の構成と作用の説明を行い、右側の説明を省略する。
【００２４】
図２に示されるように、係止部材３５はＬ字状に屈曲形成された金属板であり、長片側に第１係合部に相当する係合孔３５ａが形成されている。
【００２５】
収納部本体２７には解除機構に相当するガイド部材３０がネジ（図示略）で取り付けられており、このガイド部材は平坦面３０ｂの角を切り欠くように、収納部本体２７の開口側から引出し３の収納方向に傾斜する傾斜面３０ａが形成された一対の形状となっており、一対のガイド部材３０間を前記係止部材３５の長片側が通過できる空間が形成されている。
【００２６】
案内ハウジング３１、摺動部材３２、キャップ３３はいずれもプラスチック部材が用いられ、押出成型によって形成されており、案内ハウジング３１の内部にには後述において詳述する摺動部材３２を収納可能な空間が形成され、上部に取付片３１ａが形成されている。
【００２７】
摺動部材３２には、先端部の一部が切り欠かれた第２係合部に相当する係合片３２ａと、先端が半球状の一対の誘導片３２ｂと、が略Ｅ字状に一体に形成されている。
【００２８】
この摺動部材３２が前後に摺動可能な状態で案内ハウジング３１内に収納されており、この摺動部材３２にはキャップ３３に押されたコイルバネ３４によって、付勢力が与えられている。
【００２９】
次に図３に示されるように、前述の摺動部材３２が収納された案内ハウジング３１の取付片３１ａが前面板側板７ｂの頂部にネジ（図示略）で取付けられており、ガイド部材３０の平坦面３０ｂに誘導片３２ｂの先端が当接された状態になっている。係止部材３５は一対のガイド部材３０間を可動可能に通過される位置で開閉扉９の背面上部にネジ（図示略）で取付けられている。
【００３０】
図４（ａ）（ｂ）に示されるように、引出し３が収納部本体２７に収納された状態では、平坦面３０ｂに誘導片３２ｂが至っており、摺動部材３２が付勢力に抗してコイルバネ３４を圧縮した状態になっている。
【００３１】
この誘導片３２ｂに一体の係合片３２ａも係止部材３５と所定の間隔で離間されることから、係止部材３５が一対のガイド部材３０間から収納部本体２７の前方に可動可能な状態となっている。
【００３２】
したがって、利用者が補助収納部６の補助収納箱１８を利用したい場合には、図５に示されるように、取手２６を手前に引き出すことで矢印の示す方向に開閉扉９を開放することができ、従来と同様に引出し３の収納箱４を利用したい場合には、取手８を手前に強く引くことで引出し３を引き出すことができるようになっている。
【００３３】
次に、図６（ａ）（ｂ）に示されるように開閉扉９が閉止された状態で引出し３が収納部本体２７から引き出されていくと、ガイド部材３０の平坦面３０ｂに保持されていた誘導片３２ｂは、コイルバネ３４の付勢力で平坦面３０ｂから傾斜面３０ａに沿って傾斜方向に移動される。
【００３４】
そして、摺動部材３２がコイルバネ３４の付勢力によって、案内ハウジング３１から押し出されるように移動されていき、誘導片３２ｂと一体の係合片３２ａも係合孔３５ａへ向かって連動され、確実に係合孔３５ａと係合される。
【００３５】
以上説明したように、上記実施形態においては、係合片３２ａと係合孔３５ａとが係合されることで、係止部材３５の可動が係合孔３５ａの前後範囲内で規制される状態となる。
【００３６】
すなわち、図７に示されるように、引出し３が収納部本体２７から引き出された状態では、開閉扉９の閉止状態が保持されるので、例えば利用者によって取手８が強く引き出された場合でも、勢いで開閉扉９がむやみに開放してしまうことが防止される。
【００３７】
なお、この前方に引き出された引出し３を収納部本体２７に収納するには、取手８を収納部本体２７側に押し戻せば良く、この収納部本体２７に引出し３が収納されていくと、誘導片３２ｂがガイド部材３０の傾斜面３０ａから平坦面３０ｂに乗り上げるように誘導され、この誘導片３２ｂに一体の係合片３２ａも連動されて係合孔３５ａと係合片３２ａとの係合が確実に解除される（図４（ａ）（ｂ）参照）。
【００３８】
このように、引出し３側や収納部本体２７側に複雑なセンサー等を設けなくとも、引出し３が収納された位置で開閉扉９の閉止状態が解除されるので、開閉扉９の開放と引出し３の引き出しとの選択が可能となり、利用者は適宜選択することができる。
【００３９】
また、本実施例では開閉扉９が前面板側板７ｂ側に閉止した状態で引き出しが行われているが、引出し３の収納時に開閉扉９を開放させた状態で、引出し３の引き出しを行うことも可能な構造になっている。
【００４０】
次に、本実施例の変形例を図８に基づいて説明する。なお、以下の変形例において前記実施例と同様の構造部分に関しては、同一の符号を付すことにより詳細な説明は省略することとする。
【００４１】
図８（ａ）に示されるように、開閉扉９の前面に強制解除ボタン４１が摺動可能に取付けられており、開閉扉９の背面側には一対の誘導片３２ｂの一方に対設する位置に規制斜面４４ａが形成された規制片４４が設けられ、この規制片４４と強制解除ボタン４１とが軸４３によって連結され、バネ４２によって前記強制解除ボタン４１を開閉扉９前方側に付勢させることで強制解除機構４０が構成されている。
【００４２】
そこで、引出し３が収納部本体２７から引き出された状態において、利用者が開閉扉９を開放させたい場合には、まず図８（ｂ）に示されるように、強制解除ボタン４１をバネ４２の付勢に抗して押操作をする。
【００４３】
この押操作により、規制片４４を押し込むことで、規制片４４の規制斜面４４ａを誘導片３２ｂの先端部に当接させ、さらに押し込むことで強制的に誘導片３２ｂと一体の係合片３２ａを連動させて、係合孔３５ａと係合片３２ａとの係合を一時的に解除できるようになっている。
【００４４】
さらに図８（ｃ）に示されるように、引出し３が引き出された状態においても、強制解除ボタン４１の押操作を継続しながら解除状態を維持させ、取手２６を前方に引き出すことで、開閉扉９の開放を自由に行うことが可能となる。
【００４５】
以上、本発明の実施形態を図面により前記実施例にて説明してきたが、本発明はこれら実施例に限定されるものではなく、本発明の趣旨を逸脱しない範囲における変更や追加があっても本発明に含まれることは言うまでもなく、前記実施例においては、開閉扉９は補助収納部６の開口部の下端を中心として前方に所定角度開放可能になっているが、本発明はこれに限定されるものではなく、例えば補助収納部６の開口部の上下左右いずれかの側辺を中心として開閉可能な開閉扉が用いられても良い。
【００４６】
また前記実施例においては、引出し３が収納部本体２７から引き出された状態において、利用者が開閉扉９を開放させたい場合には、手動で係合片３２ａを案内ハウジング３１方向に押操作することで、係合片３２ａと係合孔３５ａの係合を解除し、この解除状態を維持しながら取手２６を前方に引き出すことで、強制的に開閉扉９を開放することができる。
【００４７】
また前記実施例においては、開閉扉９に係止部材３５が、前面板側板７ｂに案内ハウジング３１、収納部本体２７にガイド部材３０、がそれぞれ左右対称位置に取付けられているので、開閉扉９の閉止状態を左右より確実に保持しているが、本発明はこれに限定されるものではなく、例えば収納部本体２７の開口の大きさに合わせて、左右のいずれか一方に取付けられるようにしても良いし、複数備えられるようにしても良い。
【００４８】
また、前記実施例では、一対の誘導片３２ｂが係合片３２ａと一体構造になっており、安定的に係合片３２ａと係合孔３５ａとの係合または係合の解除が行えることが好ましいが、本発明はこれに限定されるものではなく、少なくとも互いに連係される構造であれば良く、例えば係合片３２ａの一部に誘導片が形成されるようにしても良い。
【００４９】
また、前記実施例では、係止部材３５に係合孔３５ａが形成され、この係合孔３５ａに係合片３２ａが挿通されることで係合されるようになっているが、本発明はこれに限定されるものではなく、一時的にそれぞれが係合すれば足り、例えば係止部材３５に凹部や凸片が形成され、この凹部や凸片に係合片３２ａを係合させるようにしても良い。
【００５０】
また、前記実施例においては、流し台１の引出し３の前面部に設けられた補助収納部６と、該補助収納部６を開閉できる前記開閉扉９と、に本発明としての開閉扉ロック構造が形成されている例が示されていたが、本発明の開閉扉ロック構造は流し台のみに適用されるものではなく、特に図示はしないが、例えば、引出しを備える一般的なキャビネット（家具）等の前面部に設けられた補助収納部と、該補助収納部を開閉できる前記開閉扉と、に本発明としての開閉扉ロック構造を適用しても良い。
【００５１】
【発明の効果】
本発明は次の効果を奏する。
【００５２】
（ａ）請求項１の発明によれば、前記引出しが引き出された状態では、前記第１係合部と前記第２係合部が係合され前記開閉扉の閉止状態が保持されるので、前記引出しの引き出し時に開閉扉がむやみに開放してしまうことがない。
【００５３】
（ｂ）請求項２の発明によれば、前記引出しが収納された状態で、前記第１係合部と前記第２係合部との係合が解除され、前記引出しを収納した状態で、前記開閉扉の開放と引出しの引き出しの選択が可能となる。
【００５４】
（ｃ）請求項３の発明によれば、前記引出し収納時において、複雑なセンサー等を用いることなく、前記解除機構により自動的に前記第１係合部と前記第２係合部の係合が解除され、前記開閉扉を解除できることになる。
【００５５】
（ｄ）請求項４の発明によれば、前記引出しが収納されると、前記誘導片が前記傾斜面から前記平坦面に案内されるとともに前記係合片が連動されて、前記係合孔と前記係合片との係合が確実に解除される。また、前記引出しが引き出されると、前記誘導片が前記平坦面から前記傾斜面に案内されるとともに前記係合片が連動されて、前記係合孔と前記係合片とが確実に係合されることになる。
【００５６】
（ｅ）請求項５の発明によれば、前記引出しが引き出された状態においても前記強制解除機構によって前記開閉扉を自由に開放できる。
【００５７】
（ｆ）請求項６の発明によれば、前記引出しが引き出されると開閉扉ロック構造によって、前記開閉扉と前記補助収納部とが係合されることから、利用者は引出しを引き出した際に勢いで前記開閉扉が開放されてしまう事を危惧することなく、引出しを引き出すことができるようになる。
【図面の簡単な説明】
【図１】本発明の開閉扉ロック構造が適用された流し台の縦断側面図である。
【図２】本発明の開閉扉ロック構造の分解斜視図である。
【図３】本発明の開閉扉ロック構造の組付け斜視図である。
【図４】（ａ）は引出しの収納時を示す図３のＡ−Ａ線断面図である。（ｂ）は（ａ）のＢ−Ｂ線断面図である。
【図５】引出しの収納時の開閉扉の開放を示す側断面図である。
【図６】（ａ）は引出しの引き出し時を示す平面断面図である。（ｂ）は（ａ）のＣ−Ｃ線断面図である。
【図７】引出し引き出し時の開閉扉の閉止状態が保持されていることを示す側断面図である。
【図８】（ａ）は本実施例の開閉扉ロック構造に規制解除機構が適用された変形例を示す斜視図である。（ｂ）は規制解除機構が操作される平面断面図である。（ｃ）は規制解除機構が操作され開閉扉が開放された平面断面図である。
【図９】（ａ）従来の引出しの前部に補助収納部が適用された流し台の引出し収納時の縦断側面図である。（ｂ）は引出し引出時の縦断側面図である。
【符号の説明】
１        流し台
２        シンク
３        引出し
４        収納箱
５        引出し本体
６        補助収納部
７        前面板
７ａ      前向片
７ｂ      前面板側板
８        取手
９        開閉扉
１０      折り畳み式ステー
１８      補助収納箱
１９      収納ベース
１９ａ    前板
２０      側板
２６      取手
２７      収納部本体
３０      ガイド部材（解除機構）
３０ａ    傾斜面
３０ｂ    平坦面
３１      案内ハウジング
３１ａ    取付片
３２      摺動部材
３２ａ    係合片（第２係合部）
３２ｂ    誘導片
３３      キャップ
３４      コイルバネ
３５      係止部材
３５ａ    係合孔（第１係合部）
４０      強制解除機構
４１      強制解除ボタン
４２      バネ
４３      軸
４４      規制片
４４ａ    規制斜面
４５      ボタン受部
【図１】
2004353414.tif 000003
【図２】
2004353414.tif 000004
【図３】
2004353414.tif 000005
【図４】
2004353414.tif 000006
【図５】
2004353414.tif 000007
【図６】
2004353414.tif 000008
【図７】
2004353414.tif 000009
【図８】
2004353414.tif 000010
【図９】
2004353414.tif 000011